【手続補正書】
【提出日】平成15年9月9日(2003.9.9)
【手続補正１】
【補正対象書類名】明細書
【補正対象項目名】特許請求の範囲
【補正方法】変更
【補正の内容】
【特許請求の範囲】
【請求項１】
フィルムの画像を光電的に読み取り画像データとして出力する読取手段と、
前記読取手段によって読み取られた画像データを、複数コマ分記憶する記憶手段と、
前記記憶手段に記憶された画像データを読み出し、複数コマの画像データから前記フィルムの特性値を算出して、このフィルムの特性値と各コマの画像データとから各コマ毎の画像処理条件を決定する条件設定手段と、
前記条件設定手段によって決定された画像処理条件に応じて、前記記憶手段に記憶された各コマの画像データを処理する画像処理手段とを有することを特徴とする画像読取装置。
【請求項２】
出力のための画像読取に先立ち、前記読取手段における画像読取条件を決定するために、フィルムの画像を粗に読み取る先読みを行う請求項１に記載の画像読取装置。
【請求項３】
前記先読みは、出力のための画像読取と同一センサで読み取る請求項２に記載の画像読取装置。
【請求項４】
前記先読みは、出力のための画像読取とは異なるセンサで読み取る請求項２に記載の画像読取装置。
【請求項５】
請求項１〜４のいずれかに記載の画像読取装置であって、さらに、ディスプレイと、前記フィルムの特性値および各コマ毎の画像処理条件に応じて、前記記憶手段に記憶された画像データを処理して複数コマの画像を前記ディスプレイに表示する表示手段、ならびに前記画像処理条件を補正する調整手段を有するモニタ検定手段とを有する画像読取装置。
【請求項６】
前記フィルムの特性値の算出は、１本のフィルムに撮影されているコマ数より少ないコマ数で実施することを特徴とする請求項１〜５のいずれかに記載の画像読取装置。
【手続補正２】
【補正対象書類名】明細書
【補正対象項目名】０００８
【補正方法】変更
【補正の内容】
【０００８】
ところが、このような画像読取では、画像データにネガフィルムの特性値（ベース濃度）が反映されてしまい、フィルムに撮影された画像に対応する適正な画像処理条件（露光条件）を決定できず、得られたプリントが不適正なものになってしまう場合もある。
そのため、直接露光のフォトプリンタにおいては、焼き付け前に複数コマ、例えば全コマの画像をイメージセンサによって読み取ってしまい、全コマの画像データからネガの特性値を算出して、このネガの特性値と各コマ毎の画像情報とを用いて各コマ毎の露光条件を決定した後に、焼付を行っている。この方法を用いることにより、作成されたプリントにネガフィルムの特性値が与える影響を排除して、安定して、適正なプリントを出力することができる。


【手続補正３】
【補正対象書類名】明細書
【補正対象項目名】００１０
【補正方法】変更
【補正の内容】
【００１０】
本発明の目的は、フィルムに撮影された画像を光電的に読み取り、所定の画像処理を施して記録用の画像データとして出力する、デジタルの画像読取装置であって、複数コマの画像データからフィルムの特性値を決定して、これを反映した画像処理を行うにも関わらず、迅速で高効率の画像読取を行うことができる画像読取装置を提供することにある。


【手続補正４】
【補正対象書類名】明細書
【補正対象項目名】００１１
【補正方法】変更
【補正の内容】
【００１１】
【課題を解決するための手段】
前記目的を達成するために、本発明は、フィルムの画像を光電的に読み取り画像データとして出力する読取手段と、前記読取手段によって読み取られた画像データを、複数コマ分記憶する記憶手段と、前記記憶手段に記憶された画像データを読み出し、複数コマの画像データから前記フィルムの特性値を算出して、このフィルムの特性値と各コマの画像データとから各コマ毎の画像処理条件を決定する条件設定手段と、前記条件設定手段によって決定された画像処理条件に応じて、前記記憶手段に記憶された各コマの画像データを処理する画像処理手段とを有することを特徴とする画像読取装置を提供する。


【手続補正５】
【補正対象書類名】明細書
【補正対象項目名】００１２
【補正方法】変更
【補正の内容】
【００１２】
また、出力のための画像読取に先立ち、前記読取手段における画像読取条件を決定するために、フィルムの画像を粗に読み取る先読みを行うのが好ましい。また、前記先読みは、出力のための画像読取と同一センサで読み取ってもよいし、あるいは出力のための画像読取とは異なるセンサで読み取ってもよい。
【手続補正６】
【補正対象書類名】明細書
【補正対象項目名】００１３
【補正方法】変更
【補正の内容】
【００１３】
さらに、ディスプレイと、前記フィルムの特性値および各コマ毎の画像処理条件に応じて、前記記憶手段に記憶された画像データを処理して複数コマの画像を前記ディスプレイに表示する表示手段、ならびに前記画像処理条件を補正する調整手段を有するモニタ検定手段とを有するのが好ましい。また、前記フィルムの特性値の算出は、１本のフィルムに撮影されているコマ数より少ないコマ数で実施するのが好ましい。
【手続補正７】
【補正対象書類名】明細書
【補正対象項目名】００１５
【補正方法】変更
【補正の内容】
【００１５】
図１に、本発明の画像読取装置を利用するデジタルフォトプリンタの一例のブロック図が示される。
図１に示されるデジタルフォトプリンタ（以下、フォトプリンタ１０とする）は、基本的に、フィルムＦに撮影された画像を光電的に読み取るスキャナ１２と、スキャナ１２が読み取った画像データ（画像情報）を画像処理して記録用の画像データとする画像処理装置１４（以下、処理装置１４とする）と、処理装置１４で処理された画像データに応じて変調した光ビームで感光材料を露光し、現像処理してプリントとして出力するプリンタ（画像記録装置）１６とを有して構成される。本発明の画像読取装置（入力機）は、スキャナ１２と処理装置１４とから構成される。
また、処理装置１４には、様々な条件の入力（設定）、処理の選択や指示、色／濃度補正などの指示等を入力するためのキーボード１８ａおよびマウス１８ｂを有する操作系１８と、スキャナ１２で読み取られた画像、各種の操作指示、様々な条件の設定／登録画面等を表示するディスプレイ２０が接続される。


【手続補正８】
【補正対象書類名】明細書
【補正対象項目名】００２１
【補正方法】変更
【補正の内容】
【００２１】
この読取条件設定のための先読みは、出力用の画像読取に先立ってＣＣＤセンサ３４で行ってもよい。なお、画像処理条件を決定するためのプレスキャン等とは異なり、読取条件決定のための先読みには、高い精度や分解能は要求されないので、この際には、ＣＣＤセンサ３４の分解能（空間および階調）等を低下してもよい。
あるいは、先読み用の別のセンサを設けて行ってもよい。前述のように、先読みには高い精度は要求されないので、出力用の画像読取と別のセンサで行ってもよく、また、センサにはそれほど高い精度や分解能は要求されない。先読み用のセンサは、例えば、前述のキャリアの読取位置の手前（読み取りのためのフィルムＦのコマ送り方向の上流側）に配置してもよく、あるいは、投影光の光路から外れた位置でＣＣＤセンサ３４と光学的に等価な位置に配置して、ＣＣＤセンサ３４と結像レンズユニット３２との間に挿入自在な光路変更用のミラーを設けて先読みを行ってもよい。
なお、後の説明からも明らかであるが、本発明においては、先読みを行ってもキャリアによるフィルムＦの搬送は１回（１パス）で済むので、作業時間に大きな影響は与えない。


【手続補正９】
【補正対象書類名】明細書
【補正対象項目名】００３３
【補正方法】変更
【補正の内容】
【００３３】
画像検定を行わない場合（モニタ検定を行わない作業モード）には、設定装置４６は、決定した画像処理条件を順次データ処理装置４８に設定する。
具体的には、カラーバランス補正条件や濃度補正条件はデータ処理装置４８におけるＬＵＴとして設定装置４６によって設定される。また、アンダー露光もしくはオーバー露光と判定された場合には、フィルムＦの足部（高濃度部）あるいは肩部（定濃度部）の非線形な形状を補正するようなＬＵＴが、設定装置４６によってデータ処理装置４８に設定される。
設定装置４６による画像処理条件の設定と並行して、データ処理装置４８は、画像処理条件が設定されたコマの画像データを、順次画像メモリ４２から読み出し、設定された画像処理条件に応じた補正を行って、記録用の画像データとしてプリンタ１６に出力する。


【手続補正１０】
【補正対象書類名】明細書
【補正対象項目名】００４０
【補正方法】変更
【補正の内容】
【００４０】
【発明の効果】
以上、詳細に説明したように、本発明の画像読取装置は、フィルムに撮影された画像を光電的に読み取り、所定の画像処理を施して記録用の画像データとして出力する、デジタルの画像読取装置において、複数コマの画像データからフィルムの特性値を決定して、これを反映した画像処理を行うにも関わらず、迅速で高効率の画像読取を行うことができ、高画質な画像が記録されたプリントを、高効率で安定して出力することができる。